(57)【要約】      （修正有）【課題】集光形電球の発熱を利用して患部のひざなどの、患部を暖める発熱式治療器具を提供する。【解決手段】傘軸１３の先端にある螺子ボタン１０は左右に廻すことにより、締り、緩めをする。傘軸１３の末端が回転軸となり、傘軸１３の中央に目盛を設け、先端のポリプロピレン２２にナットの収納具を螺子ボタン１０反対側に直接接着する。その直接接着したナットと螺子ボタン１０のボルト２９を中心に回転軸となり、収納具の外周円に目盛を設け、その外周円に目盛と軸の中央が目盛を合わせて、一定の角度を作る。螺子ボタン１０を緩めて、Ａは７０度、Ｂは９０度、Ｃは１３５度、Ｄは１８０度、Ｅは２２５度、Ｆは２７０度、Ｇは２９０度として、軸の中央が目盛と外周円の目盛とを合わせるとＡ乃至Ｇで、７段階の角度が作ることができる。【選択図】図１
0003180835.tif 000002
【実用新案登録請求の範囲】
【請求項１】
傘軸１３の先端にある螺子ボタン１０を手前に廻すことにより、螺子ボタン１０は締まり、締まったところで回転軸１４の目盛２５とナット収納具２７の周りの外周縁の目盛２６を設け、ポリプロピレン２２螺子ボタン１０と反対側にナット収納具２７を直接接着し、動くなかったらそのままとし、最初はＡ・７０度、Ｂ・９０度、Ｃ・１３５度、Ｄ・１８０度、Ｅ・２２５度、Ｆ・２７０度Ｇ・２９０度、７段階の目盛りを合わせることができ、目盛りを合せない限り無限にできるものであり、所望の場所まで上下廻し、治療する位置が決まったら、スイッチ１１を要れ、患部の位置まで手で持って運んで行く、発熱式治療器具の熱を発する、この熱が痛みを和らげ及び鈍痛化し、治療を提供することにより、これを特徴とする発熱式治療器具１。
【考案の詳細な説明】
【技術分野】
【０００１】  本考案は、集光形電球の発熱を利用して、ひざ・腰・肩及び首筋・腕・背中・臀部・脇腹・太もも・脹脛・足首・踵・足の裏まで暖め治療に関するものである。
【背景技術】
【０００２】  光線治療器において、アーク放電を行わせるための電極燃焼部を備えた灯体と、該電極燃焼部に所定の交流電圧をかけるための交流電源装置とを備えて成り、該交流電圧装置はコンバータ部とインバータ部とを備え、交流を一旦直流に変換したのち該直流を高周波の交流に変換するように構成されていることを特徴とする光線治療器を実用に共さられているが、両装置は、複雑すぎて欠点を有している。【０００３】  また、発熱コイルを所望に配設したセラミックス製のヒーター部材を備えた赤外線温熱治療器において、前記発熱コイルの電源回路に予熱回路を並列に組込み、この予熱回路は前期発熱コイル側に対し、前記電源回路の通常電流より小さい電流値で通電するように設定されていることを特徴とする赤外線温熱治療器が存在するが、両者とも装置が複雑で使い勝手が悪く、不便である。【０００４】  しかし、この考案によれば、手持ち式であるので１箇所、長くとも１５分ぐらいで患部に十分に届き、軽く便利に持ち歩くことが出来るものである。電球の発熱を利用して、ひざ・腰・肩及び首筋・腕・背中・臀部・脇腹・太もも・脹脛・足首・踵・足の裏まで暖め治療に、その治療に利用している。
【先行技術文献】
【０００５】  簡単な構造によってセラミックを安定して成形できるために、手頃な価格に製造でき、洗濯も容易であって、しかも、身体に良好に作用する遠赤外線治療器を提供する。
患部に当てる治療器本体が表布で被覆される中空体を主体し、中空体の内周面と外周面との少なくとも一面にセラミックの紛粒体を硬化性接着剤と練り合わせて接着することにより、遠赤外線を発生するセラミック層が形成され、中空体の中心部に遠赤線外の発生を促進する電気による発熱体が内装されており、中空体の内部温度を感知して設定温度に保持する制御装置を備えている。
【実用文献１】
実用新案登録第３１５３４１２号公報
【０００６】  簡易型赤外線治療器は一般的に平面上へ設置されるタイプが多い。そのため、アームが長く取れない、治療者対象者の治療位置が限定される等の不都合があった。
脚部にクランプを設け固定することにより、安定性が増し、アームが長くすることができる。また、机の縁等に設置できるので、設置面が狭くてすむ。よって、治療対象者の場所的制約が少なくなる。
【特許文献１】特開２００５−３４２４５１公報
【０００７】  人工ゼオライトを粉砕して粉末とし、水に混ぜて捏ね泥状として小皿を作り乾燥させて、高温で焼き上げて耐熱皿を作り、市販の赤外線治療器を求めて来て、電気屋か機会屋に頼んで、治療器保護枠を組み立てているビスを暖めて外し、組み立てている保護枠金網を外したら照射口と保護金網枠の間に小皿を挿入する。
小皿は耐熱皿を選ばないと、赤外線の熱で割れて怪我をするから、注意をして普通の皿は使わないで下さい、ゼオライト皿を選んで下さい。
【実用文献２】
実用新案登録第３０７０９５０号公報
【考案の概要】
【考案が解決しようとする課題】
【０００８】  解決しようとする問題点は、どんな患部にも手で持って治癒が行き届くようすることで、一箇所５分乃至１５分位で済むようにする点である、余り長過ぎると手で持っているので手が疲れと、１５分以上すると患部が厚くなり過ぎるので、欠点を言えばこの２点位である。
【課題を解決するための手段】
【０００９】  傘軸の先端にある螺子ボタンを手前に廻すことにより、螺子ボタンは締まり、締まったところで回転軸の目盛とナット収納具の周りの外周縁の目盛を設け、ポリプロピレン螺子ボタンと反対側にナット収納具を直接接着し、動くなかったらそのままとし、最初はＡ・７０度、Ｂ・９０度、Ｃ・１３５度、Ｄ・１８０度、Ｅ・２２５度、Ｆ・２７０度Ｇ・２９０度、７段階の目盛りを合わせることができ、目盛りを合せない限り無限にできるものであり、所望の場所まで上下廻し、治療する位置が決まったら、スイッチを要れ、患部の位置まで手で持って運んで行く、発熱式治療器具の熱を発する、この熱が痛みを和らげ及び鈍痛化し、治療を提供することにより、これを特徴とする発熱式治療器具である。
【考案の効果】
【００１０】  本考案は、集光形電球の発熱を利用して、ひざ・腰・肩及び首筋・腕・背中・臀部・脇腹・太もも・脹脛・足首・踵・足の裏まで暖める治療に関するものであり、電球の熱源が患部を温め、この熱が痛み及び鈍痛を和らげ、治療することにより、痛み、痺れをやわらげ、治療に一役かつやくという利点がある。
【図面の簡単な説明】
【００１１】
【図１】図１は発熱式治療器具の全体の斜視図であって説明図である。
【図２】図２は発熱式治療器具の一部要部「発熱式の集光電球の付けるところである。」斜視図であって、網の蓋を開いた説明図である。
【図３】図３は発熱式治療器具の一部要部を切り開いた状況で断面図で表し、「発熱式の集光形電球の付けたところである。」側面図であって、網の蓋を閉じた説明図である。
【図４】図４（イ）は傘の上部を切削した背面図であり、（ロ）はＡ−Ａ線断面図の説明図である。
【図５】図５は傘軸の上部を切削した左側面図面図で、ナット収納具の外周に目盛りが付けてあり傘軸の先端部分の中央に目盛りが付いて、この目盛りと所望の場所まで上下廻し、治療する位置が決まったら、Ａ７０度、Ｂ９０度、Ｃ１３５度、Ｄ１８０度、Ｅ２２５度、Ｆ２７０度、Ｇ２９０度の７段階に分けて曲がる説明図である。
【図６】（イ）螺子ボタンの側面図であり（ロ）螺子ボタンの正面図であり（ニ）ナット収納具の外周を平面に伸ばし書いたものである。
【図７】（イ）ポリプロピレンの状態とプラシックの状態との螺子ボタンの締めた状況の係わり合いを１部を断面図で示す説明図である。（ロ）螺子ボタン斜視図である。
【図８】図８は膝の治療をしている説明図である。
【図９】図９は腰の治療をしている説明図である。
【図１０】図１０は肩及び首筋の辺りを治療している説明図である。
【図１１】図１１は足のつま先及び足の首筋を治療している説明図である。
【考案を実施するための形態】
【００１２】  発熱式治療器具は、集光形電球の発熱を利用して、ひざ・腰・肩及び首筋・腕・背中・臀部・脇腹・太もも・脹脛・足首・踵・足の裏まで暖め治療に供するもので、電球の熱源が患部を温め、痛み、痺れをやわらげ、治療に一役かつやくという利点を実現した。
【実施例】
【００１３】  図１は、発熱式治療器具１であって、傘２の蓋３を開け電球４を取付けて蓋３を閉め止具５で締め付けて、安全を確認して部屋のコンセントへコード６先のプラグ７を差し込んで、発熱式治療器具１の傘軸１３の続く回転軸１４は、プラチック３０で、その外側の先端は、ポリプロピレン軸２２なってなり、螺子ボタン１０を右に廻す締り、左に廻すと緩みの働きをする。軸８は丸型で滑り易い中間の十字状でなっている。後の残りは軸８の丸型で滑り易く、滑り止９を設けている。【００１４】  図２は、発熱式治療器具１の傘２の蓋３を開けた状態であって、傘２の外側がプラチックで内側のスポンジ２０はプラチック製で熱には強く傘２の外側には熱で暑くならない。蓋３のネット１２は、止め具５でとめ、蓋３のネット１２の材質は、ポリエステル製であって、熱には強くあります。螺子ボタン１０を左に廻すと緩む、右に廻す締り、発熱式治療器具１の傘軸１３の続く回転軸１４は、プラチック製で、その外側の先端は、ポリプロピレン軸２２なってなり、螺子ボタン１０を右に廻す締り、左に廻すと緩みの働きをする。軸８は、滑り易く途中から滑り止２３を設けている。【００１５】  図３の発熱式治療器具１上部はコード６で、その１部を切り開いた断面図を表わしている。集光形電球のソケット１７は、エボナイト製であり、プラチィックで覆っており、ソケット１７の外皮１８であります。その下のゴム材１９は、集光形電球のソケット１７を停止具として使用しています。【００１６】  図３の傘２の蓋３を止具５で閉めた状態であって、その１部を切り開いた断面図を表わしている。傘２の表側は、材質は熱に強いプラチィックで、中側は同じ材質のスポンジ２０材であり、内側の薄い皮膜２１は同じ材質のプラチィックである。熱源の集光形電球４は、４０ワットを持ち、ビーム角３０度であり、蓋３のポリエステル製網１２により調節されているが治療の場所によって距離が調節の問題となる。【００１７】  図４（イ）は、疾患部より、傘軸１３の先端にある螺子ボタン１０を右に廻すことにより、溝１６が軋み螺子ボタン１０を締まり、周りのポリプロピレン２２に対し回転軸１４がプラチィック３０硬いので回転軸１４を滑りの目盛２５と外周縁の目盛２６とを合わせると所望の位置くる。治療する位置が決まったら、スイッチを要れ、患部の位置まで手で持って運んで行く、発熱式治療器具の熱を発する、この熱が痛みを和らげ及び鈍痛化し、治療を開始するものである。これを特徴とする発熱式治療器具１で曲げ装置である。【００１８】  図４（ロ）は、Ａ−Ａ断面図であり、十字形状２３は、手で握り易くしてあり、軸８の丸型で滑り易い、その後の小さい突起十字も滑り止９である。軸８のお終りのここを握ると、握りは、安定的であり、十字形状２３の芯の断面図は、中心の楕円形のコード６であり、丸形の孔２４は、コードを通す丸形の孔２４である。【００１９】  図５は、傘軸１３の末端は回転軸１４が設けられている。螺子ボタン１０を右に廻せば締まり、螺子ボタン１０を左に廻せば緩まりと言う風になる。螺子ボタン１０を右に廻せば締ったままの状態で、回転軸を廻すと、所望の位置が来る。【００２０】  傘２の角度は、ナット収納具２７の外周縁の目盛��が付してあり、これと傘軸の中央にある線の目盛２５と外周縁の目盛２６とを合わせると最初は、Ａ・７０度で、２０度足してＢ・９０度次々と４５度とに曲がり、Ｃは１３５度、Ｄは１８０度、Ｅは２２５度、Ｆは２７０度、最高はＧの２９０度曲がるのである。戻るときには、螺子ボタン１０を左に廻すと緩む、右に廻す締り、元のように廻せばよく。治療の場所によって決まる。そしてスイッチ１１を入れる。
膝は、９０度曲げた方が良く（図８参照。）。腰は、Ｅの２２５度曲げた方が良く（図９参照。）。肩首筋はＥの２２５度曲げた方が良く（図１０参照。）。足の先は、Ｄの１８０度曲げたほうが良く（図１１参照。）ものである。【００２１】  平常は、９０度である。螺子ボタン１０を右に廻すと締まり、更に、傘軸を廻すと滑り、傘軸の中央にある線の目盛２５と外周縁の目盛２６とを合わせると、最初は、Ａ・７０度、Ｂ・９０度、Ｃ・１３５度、Ｄ・１８０度、Ｅ・２２５度、Ｆ・２７０度、最後は２０度足してＧ・２９０度と選び、目盛り以外では、ＡからＧまで手を離すと止まり所望の場所は、無限に選択でき自由である。【００２２】  図５実線は、平常のＢ・９０度であり、点線は動いた状態を示し、点線のあるのはＡ・７０度と、Ｄ・１８０度、Ｆ・２７０度Ｇ・２９０度と、書いてないのはＣ・１３５度とＥ２２５度であり、無いものを書くとすれば、あんまりしつこくなるので、書くのを止めました。【００２３】  図６（イ）は、平常のＢ・９０度で折り曲げた状況の背面図の図形であって、螺子ボタン１０右に廻すと締まり、溝が１６軋み、プラチック３０が硬いので周りのポリプロピレン２２軟らかいので滑り、ポリプロピレン２２螺子ボタン１０と反対側にナット収納具２７をポリプロピレン２２に直接接着剤で貼り付け、ナット収納具２７動かなくする。
ナット収納具２７の外周縁の目盛２６と傘軸の中央にある線の目盛２５とを合わせるとＡ乃至Ｇの７段階の組み合わせができる。【００２４】  図６（ロ）は、螺子ボタン１０右に廻すと締まり、左に廻すと緩まる方法を示したものである。発熱式治療器具１の右手で持ってＡ・９０度の角度で、腰掛けて膝の治療をしている所です。
図６（ハ）は、丸い円形の外周縁に書かれたものと線と数字と欧文字を平面に表示したことである。【００２５】  図７（イ）は、背面図で屈折状態の場合の図形であって、その１部を断面図で表し、螺子ボタン１０右に廻すと締まり、溝が１６軋み、プラチック３０が硬いので周りのポリプロピレン軟らかいので回転軸が滑る。
ナット収納具２７をポリプロピレン２２に直接接着剤で貼り付け、ナット収納具２７動かなくする。
ナット収納具２７の外周縁の目盛２６を傘軸の中央にある線の目盛２５と外周縁の目盛りとを合わせるとＡ乃至Ｇの７段階の組み合わせができる。【００２６】  図７（ロ）は螺子ボタン１０の斜視図であってボルト２９を書いたものである。
この螺子ボタン１０を右に廻すと締り、左に廻すと緩みを繰返し、所望の場所は選択でき自由である。【００２７】  図８は、発熱式治療器具１の右手で持ってＢ・９０度の角度で、腰掛けて膝の治療をしている所です。【００２８】  図９は、発熱式治療器具１の右手で持ってＣ・１３５度の角度で腰掛けて腰の治療をしている所です。【００２９】  図１０は、発熱式治療器具１の右手で持ってＣ・１３５度の角度で腰掛けて肩及び首筋の治療をしている所です。【００３０】  図１１は、発熱式治療器具１の右手で持ってＤ・１８０度の角度で腰掛けてつま先及び足首の治療をしている所です。腰掛けて足首及び踵、つま先治療をしている所です。
【産業上の利用可能性】
【００３１】  発熱式治療器具は、集光形電球の発熱を利用して、ひざ・腰・肩及び首筋・腕・背中・臀部・脇腹・太もも・脹脛・足首・踵・足の裏まで暖め治療に関するものであるが照明器具としても、机の上に取付け具を付ければ、机の照明器具としても適用できるものである。
【符号の説明】
【００３２】１    発熱式治療器具
２    傘
３    蓋
４    集光形電球
５    止具
６    コード
７    プラグ
８    軸
９    滑り止
１０  螺子ボタン
１１  スイッチ
１２  ポリエステル製網
１３  傘軸
１４  回転軸
１５  ナット
１６  溝
１７  集光形電球のソケット
１８  ソケットの外皮
１９  ゴム
２０  スポンジ
２１  傘の内側の薄い皮膜
２２  ポリプロピレン
２３  十字形状
２４  丸形の孔
２５  軸の目盛り
２６  外周円の目盛り
２７  ナット収納具
２８  ナット
２９  ボルト
３０  プラスチック
【図１】
0003180835.tif 000003
【図２】
0003180835.tif 000004
【図３】
0003180835.tif 000005
【図４】
0003180835.tif 000006
【図５】
0003180835.tif 000007
【図６】
0003180835.tif 000008
【図７】
0003180835.tif 000009
【図８】
0003180835.tif 000010
【図９】
0003180835.tif 000011
【図１０】
0003180835.tif 000012
【図１１】
0003180835.tif 000013
【手続補正書】
【提出日】平成24年6月25日(2012.6.25)
【手続補正１】
【補正対象書類名】実用新案登録請求の範囲
【補正対象項目名】全文
【補正方法】変更
【補正の内容】
【実用新案登録請求の範囲】
【請求項１】
傘軸１３の先端にある螺子ボタン１０を左右に廻すことにより、螺子ボタン１０は締り、緩めをするが、螺子ボタン１０を左に廻すことにより、螺子ボタン１０は緩まり、傘軸１３の末端が回転軸１４となり、回転軸１４に近い傘軸１３の末端の中央が軸の目盛２５を設け、一方、ナット２８自体の収納具２７をポリプロピレン２２直接接着し、その直接接着した外周円の目盛２６と軸の目盛２５を合わせて、螺子ボタン１０を右に廻すことにより締り、一定の角度を作り、且つ又、螺子ボタン１０を緩めて、最初はＡ・７０度、Ｂ・９０度、Ｃ・１３５度、Ｄ・１８０度、Ｅ・２２５度、Ｆ・２７０度、Ｇ・２９０度、軸の目盛２５と外周円の目盛２６とを合わせると７段階の角度が作ることができ、所望の患部の位置まで螺子ボタン１０を右に廻し、締り動かなくし、発熱式治療器具の熱を発する電灯にスイッチ１１を要れ、治療を提供するこのことにより、これを特徴とする発熱式治療器具１。
【手続補正２】
【補正対象書類名】明細書
【補正対象項目名】全文
【補正方法】変更
【補正の内容】
【考案の詳細な説明】
【技術分野】
【０００１】  本考案は、集光形電球の発熱を利用して、ひざ・腰・肩及び首筋・腕・背中・臀部・脇腹・太もも・脹脛・足首・踵・足の裏まで暖め治療に関するものである。
【背景技術】
【０００２】  光線治療器において、アーク放電を行わせるための電極燃焼部を備えた灯体と、該電極燃焼部に所定の交流電圧をかけるための交流電源装置とを備えて成り、該交流電圧装置はコンバータ部とインバータ部とを備え、交流を一旦直流に変換したのち該直流を高周波の交流に変換するように構成されていることを特徴とする光線治療器を実用に共さられているが、両装置は、複雑すぎて欠点を有している。【０００３】  また、発熱コイルを所望に配設したセラミックス製のヒーター部材を備えた赤外線温熱治療器において、前記発熱コイルの電源回路に予熱回路を並列に組込み、この予熱回路は前期発熱コイル側に対し、前記電源回路の通常電流より小さい電流値で通電するように設定されていることを特徴とする赤外線温熱治療器が存在するが、両者とも装置が複雑で使い勝手が悪く、不便である。【０００４】  しかし、この考案によれば、手持ち式であるので１箇所、長くとも１５分ぐらいで患部に十分に届き、軽く便利に持ち歩くことが出来るものである。電球の発熱を利用して、ひざ・腰・肩及び首筋・腕・背中・臀部・脇腹・太もも・脹脛・足首・踵・足の裏まで暖め治療に、その治療に利用している。
【先行技術文献】
【実用新案登録文献】
【０００５】  簡単な構造によってセラミックを安定して成形できるために、手頃な価格に製造でき、洗濯も容易であって、しかも、身体に良好に作用する遠赤外線治療器を提供する。
患部に当てる治療器本体が表布で被覆される中空体を主体し、中空体の内周面と外周面との少なくとも一面にセラミックの紛粒体を硬化性接着剤と練り合わせて接着することにより、遠赤外線を発生するセラミック層が形成され、中空体の中心部に遠赤線外の発生を促進する電気による発熱体が内装されており、中空体の内部温度を感知して設定温度に保持する制御装置を備えている。
【実用文献１】
実用新案登録第３１５３４１２号公報
【特許文献】
【０００６】  簡易型赤外線治療器は一般的に平面上へ設置されるタイプが多い。そのため、アームが長く取れない、治療者対象者の治療位置が限定される等の不都合があった。
脚部にクランプを設け固定することにより、安定性が増し、アームが長くすることができる。また、机の縁等に設置できるので、設置面が狭くてすむ。よって、治療対象者の場所的制約が少なくなる。
【特許文献１】特開２００５−３４２４５１公報
【実用新案登録文献】
【０００７】  人工ゼオライトを粉砕して粉末とし、水に混ぜて捏ね泥状として小皿を作り乾燥させて、高温で焼き上げて耐熱皿を作り、市販の赤外線治療器を求めて来て、電気屋か機会屋に頼んで、治療器保護枠を組み立てているビスを暖めて外し、組み立てている保護枠金網を外したら照射口と保護金網枠の間に小皿を挿入する。
小皿は耐熱皿を選ばないと、赤外線の熱で割れて怪我をするから、注意をして普通の皿は使わないで下さい、ゼオライト皿を選んで下さい。
【実用文献２】
実用新案登録第３０７０９５０号公報
【考案の概要】
【考案が解決しようとする課題】
【０００８】  解決しようとする問題点は、どんな患部にも手で持って治癒が行き届くようすることで、一箇所５分乃至１５分位で済むようにする点である、余り長過ぎると手で持っているので手が疲れと、１５分以上すると患部が厚くなり過ぎるので、欠点を言えばこの２点位である。
【課題を解決するための手段】
【０００９】  傘軸の先端にある螺子ボタンを左右に廻すことにより、螺子ボタンは締り、緩めをするが、螺子ボタンを左に廻すことにより、螺子ボタンは緩まり、傘軸の末端が回転軸となり、回転軸に近い傘軸の末端の中央が軸の目盛を設け、一方、ナット自体の収納具をポリプロピレン直接接着し、その直接接着した外周円の目盛と軸の目盛を合わせて、螺子ボタンを右に廻すことにより締り、一定の角度を作り、且つ又、螺子ボタンを緩めて、最初はＡ・７０度、Ｂ・９０度、Ｃ・１３５度、Ｄ・１８０度、Ｅ・２２５度、Ｆ・２７０度、Ｇ・２９０度、軸の目盛と外周円の目盛とを合わせると７段階の角度が作ることができ、所望の患部の位置まで螺子ボタンを右に廻し、締り動かなくし、発熱式治療器具の熱を発する電灯にスイッチを要れ、治療を提供するこのことにより、これを特徴とする発熱式治療器具である。
【考案の効果】
【００１０】  本考案は、集光形電球の発熱を利用して、ひざ・腰・肩及び首筋・腕・背中・臀部・脇腹・太もも・脹脛・足首・踵・足の裏まで暖める治療に関するものであり、電球の熱源が患部を温め、この熱が痛み及び鈍痛を和らげ、治療することにより、痛み、痺れをやわらげ、治療に一役活躍という利点がある。【００１１】  背の高い人、背の低い人、座高の高い人、座高の低い人、標準でない人、目盛りが役に立たない人のために、軸の目盛と外周円の目盛とを合わせないと、無限にできるものであり、治療する位置が決まったら、手で持って運んで行く、所望の患部の位置まで螺子ボタンを右に廻し、締まり動かなくし、発熱式治療器具の熱を発する電灯にスイッチを要れ、治療を提供するこの熱が痛みを和らげ及び鈍痛化し、治療を提供する。
【図面の簡単な説明】
【００１２】
【図１】図１は発熱式治療器具の全体の斜視図であって説明図である。
【図２】図２は発熱式治療器具の一部要部「発熱式の集光電球の付けるところである。」斜視図であって、網の蓋を開いた説明図である。
【図３】図３は発熱式治療器具の一部要部を切り開いた状況の断面図で表し、「発熱式の集光形電球の付けたところである。」側面図であって、網の蓋を閉じた説明図である。
【図４】図４（イ）は傘の上部を切削した背面図であり、（ロ）はＡ−Ａ線断面図の説明図である。
【図５】図５は傘軸の上部を切削した左側面図面図で、ナット収納具の外周円の目盛が付けてあり、傘軸の後端部分と回転軸付近の間に、中央の目盛が付いて、軸の目盛と外周円の目盛とを合わせて、角度を取り治療する位置が決まったら、Ａ７０度、Ｂ９０度、Ｃ１３５度、Ｄ１８０度、Ｅ２２５度、Ｆ２７０度、Ｇ２９０度の７段階に分けて曲がる説明図である。
【図６】（イ）螺子ボタンの側面図であり（ロ）螺子ボタンの正面図であり（ハ）ナット収納具の外周円を平面に伸ばし書いたものである。
【図７】（イ）ポリプロピレンの状態とプラシックの状態との螺子ボタンの締めた状況の係わり合いを１部断面図で示す説明図である。（ロ）螺子ボタン斜視図である。
【図８】図８は膝の治療をしている説明図である。
【図９】図９は腰の治療をしている説明図である。
【図１０】図１０は肩及び首筋の辺りを治療している説明図である。
【図１１】図１１は足のつま先及び足の首筋を治療している説明図である。
【考案を実施するための形態】
【００１３】  発熱式治療器具は、集光形電球の発熱を利用して、ひざ・腰・肩及び首筋・腕・背中・臀部・脇腹・太もも・脹脛・足首・踵・足の裏まで暖め治療に供するもので、電球の熱源が患部を温め、痛み、痺れをやわらげ、治療に一役活躍という利点を実現した。
【実施例】
【００１４】  図１は、発熱式治療器具１であって、傘２の蓋３を開け電球４を取付けて蓋３を閉め、止具５で締め付けて角度は９０°であり、螺子ボタン１０は左右に動かすことができ、左に廻すと緩み、右に廻すと締りをする。コード６先は傘２電球につながっている、反対側は軸の中を通ってスイッチを通って、余りは折りたたんであり、最後はプラグ７となる。使うときには、部屋のコンセントへプラグ７を差し込んで、発熱式治療器具１として使う。【００１５】  傘軸１３の続く回転軸１４は、プラチック３０で、その外側の先端は、ポリプロピレン軸２２なってなり、螺子ボタン１０を右に廻す締り、左に廻すと緩みの働きをする。軸８は丸型で滑り易い中間の十字状２３でなっている。後の残りは軸８の丸型で滑り易く、滑り止９を十字状に差し込んで設けている。【００１６】  図２は、発熱式治療器具１の傘２の蓋３を開けた状態であって、傘２の外側がプラチックで内側のスポンジ２０はプラチック製で熱には強く、傘２の外側には熱で暑くならない。蓋３のネット１２は、止め具５でとめ、蓋３のネット１２の材質は、ポリエステル製であって、熱には強くあります。【００１７】  螺子ボタン１０を左に廻すと緩む、右に廻す締り、発熱式治療器具１の傘軸１３の続く回転軸１４は、プラチック製で、その外側の先端は、ポリプロピレン軸２２なってなり、プラチックは硬く、ポリプロピレンより軟らかく粘りがないので、螺子ボタン１０を右に廻せば締ったままの状態で（動かなるまで締めるのでなく、ある程度締める。）、傘軸１３に力からを入れると回転軸１４を（滑る）廻りだすと、所望の角度が得られる。再度、螺子ボタン１０を右に動かなるまで締め角度が確定し、治療する立場になる。
軸８は、滑り易く途中から滑り止２３を設けている。【００１８】  図３の発熱式治療器具１上部はコード６で、その１部を切り開いた断面図を表わしている。集光形電球のソケット１７は、エボナイト製であり、プラチィックで覆っており、ソケット１７の外皮１８であります。その下のゴム材１９は、集光形電球のソケット１７を停止具として使用しています。【００１９】図３の傘２の蓋３を止具５で閉めた状態であって、傘２の表側は、材質は熱に強いプラチィックで、中側は同じ材質のスポンジ２０材であり、内側の薄い皮膜２１は同じ材質のプラチィックである。熱源の集光形電球４は、４０ワットを持ち、ビーム角３０度であり、蓋３のポリエステル製網１２により厚さが調節されているが、治療の場所によって距離が調節の問題となる。【００２０】  図４（イ）は、疾患部より、傘軸１３の先端にある螺子ボタン１０を右に廻すことにより、溝１６が軋み螺子ボタン１０を締り、周りのポリプロピレン２２は粘りがなく軟らかいので、回転軸１４がプラチィック３０硬いので回転軸１４を滑り、一方、軸の目盛２５と外周円の面目盛２６とを合わせると所望の角度を作る。治療する位置が決まったら、スイッチを要れ、患部の位置まで手で持って運んで行く、発熱式治療器具の熱を発する、この熱が痛みを和らげ及び鈍痛化し、治療を開始するものである。これを特徴とする発熱式治療器具１で装置である。【００２１】  図４（ロ）は、軸８の丸型で滑り易いので中間は、Ａ−Ａ断面図であり、十字形状２３は、手で握り易くしてあり、その後の小さい突起十字も滑り止９である。軸８のお終りのここを握ると、握りは、安定的である。
十字形状２３の芯の断面図は、中心の楕円形のコード６であり、丸形の孔２４は、コードを通す丸形の孔２４である。【００２２】  図５は、傘軸１３の末端は回転軸１４が設けられている。螺子ボタン１０を右に廻せば締まり、螺子ボタン１０を左に廻せば緩まりと言う風になる。螺子ボタン１０を右に廻せば締ったままの状態で（動かなるまで締めるのでなくある程度締める）、更に、螺子ボタン１０を右に廻せば、動かなるまで締める。所望の角度が得られる。【００２３】  傘２の角度は、ナット収納具２７の外周円の目盛２６が付してあり、これと傘軸１３の回転軸の近い傘軸の末端の中央にある線の軸の目盛２５と外周円の目盛２６とを合わせると、最初は、Ａ・７０度で、２０度足してＢ・９０度次々と４５度とに曲がり、Ｃは１３５度、Ｄは１８０度、Ｅは２２５度、Ｆは２７０度、最高はＧの２９０度曲がるのである。戻るときには、螺子ボタン１０を左に廻すと緩み、右に廻すと締り、螺子ボタン１０を右に廻すと締り、動かなくなったら、治療の場所が決り、スィッチ１１を入れ、治療が始まる。
膝は、９０度曲げた方が良く（図８参照。）。腰は、Ｅの２２５度曲げた方が良く（図９参照。）。肩首筋はＥの２２５度曲げた方が良く（図１０参照。）。足の先は、Ｄの１８０度曲げたほうが（図１１参照。）標準で、良くいくものである。【００２４】  平常は、９０度である。螺子ボタン１０を右に廻すと締り、更に、傘軸３を廻すと滑り、傘軸１３の中央に線ある軸の目盛２５と外周円の目盛２６とを合わせると、最初は、Ａ・７０度、Ｂ・９０度、Ｃ・１３５度、Ｄ・１８０度、Ｅ・２２５度、Ｆ・２７０度、最後は２０度足してＧ・２９０度と選び、目盛り以外では、ＡからＧまで所望の場所は、無限に選択でき自由である。【００２５】  図５実線は、平常のＢ・９０度であり、点線は動いた状態を示し、点線のものはＡ・７０度と、Ｄ・１８０度、Ｆ・２７０度Ｇ・２９０度と、書いてないのはＣ・１３５度とＥ２２５度であり、無いものを書くとすれば、あんまりしつこくなるので、書くのを止めました。軸の目盛２５と外周円の目盛２６とを合わせるとＡ乃至Ｇ７段階の角度を作ることができる。【００２６】  図６（イ）は、傘軸１３を１８０度で伸ばした状況であって背面図の図であり、傘軸１３の中央に線ある軸の目盛２５、その材質はプラスチック３０である。
ポリプロピレン２２螺子ボタン１０と反対側にナット収納具２７をポリプロピレン２２に直接接着剤で接着し、ナット収納具２７を動かなくする。
螺子ボタン１０右（図面では前に）に廻すと締り、溝が１６軋み、プラチック３０が硬いので周りのポリプロピレン２２軟らかいので滑り、もっと螺子ボタン１０を右に廻すと締り動かなくなる。【００２７】  図６（ロ）は、螺子ボタン１０右に廻すと締まり、左に廻すと緩まる方法を示したものである。図６（ハ）は、丸い円の外周円の目盛２５と外周縁１５に書かれたものと線と数字と欧文字を平面に表示したことである。【００２８】  図７（イ）は、傘軸１３を１８０度で伸ばした状況であって背面図の図形であり、その１部を断面図で表し、螺子ボタン１０右に廻すと締り、溝が１６軋み、プラチック３０が硬いので周りのポリプロピレン軟らかいので回転軸が滑る。
ナット収納具２７の外周円の目盛２６を傘軸１３の中央にある線の目盛２５と外周円の目盛２６合わせると治療角度が得られる。【００２９】  図７（ロ）は螺子ボタン１０の斜視図であってボルト２９を書いたものである。
この螺子ボタン１０を右に廻すと締り、左に廻すと緩みを繰返し、所望の角度は選択でき自由である。【００３０】  図８は、発熱式治療器具１の右手で持ってＢ・９０度の角度で、腰掛けて膝の治療をしている所です。【００３１】  図９は、発熱式治療器具１の右手で持ってＣ・１３５度の角度で腰掛けての治療をしている所です。【００３２】  図１０は、発熱式治療器具１の右手で持ってＣ・１３５度の角度で腰掛け肩及び首筋の治療をしている所です。【００３３】  図１１は、発熱式治療器具１の右手で持ってＤ・１８０度の角度で腰掛けてつま先及び足首の治療をしている所です。腰掛けて足首及び踵、つま先治療をしている所です。
【産業上の利用可能性】
【００３４】  発熱式治療器具は、集光形電球の発熱を利用して、ひざ・腰・肩及び首筋・腕・背中・臀部・脇腹・太もも・脹脛・足首・踵・足の裏まで暖め治療に関するものであるが照明器具としても、机の上に取付け具を付ければ、机の照明器具としても適用できるものである。
【符号の説明】
【００３５】１    発熱式治療器具
２    傘
３    蓋
４    集光形電球
５    止具
６    コード
７    プラグ
８    軸
９    滑り止
１０  螺子ボタン
１１  スィッチ
１２  ポリエステル製網
１３  傘軸
１４  回転軸
１５  外周縁
１６  溝
１７  集光形電球のソケット
１８  ソケットの外皮
１９  ゴム
２０  スポンジ
２１  傘の内側の薄い皮膜
２２  ポリプロピレン
２３  十字形状
２４  丸形の孔
２５  軸の目盛り
２６  外枠の断面目盛
２７  ナット収納具
２８  ナット
２９  ボルト
３０  プラスチック
【手続補正３】
【補正対象書類名】図面
【補正対象項目名】全図
【補正方法】変更
【補正の内容】
【図１】
0003180835.tif 000014
【図２】
0003180835.tif 000015
【図３】
0003180835.tif 000016
【図４】
0003180835.tif 000017
【図５】
0003180835.tif 000018
【図６】
0003180835.tif 000019
【図７】
0003180835.tif 000020
【図８】
0003180835.tif 000021
【図９】
0003180835.tif 000022
【図１０】
0003180835.tif 000023
【図１１】
0003180835.tif 000024
【手続補正書】
【提出日】平成24年9月14日(2012.9.14)
【手続補正１】
【補正対象書類名】実用新案登録請求の範囲
【補正対象項目名】全文
【補正方法】変更
【補正の内容】
【実用新案登録請求の範囲】
【請求項１】
傘軸１３の先端にある螺子ボタン１０を左右に廻すことにより、螺子ボタン１０は締り、緩めをするが、傘軸１３の末端が回転軸１４となり、傘軸１３の中央に目盛２５を設け、先端のポリプロピレン２２にナット２８の収納具２７を螺子ボタン１０反対側に直接接着し、その直接接着したナット２８と螺子ボタン１０のボルト２９を中心に回転軸１４となり、収納具２７の外周円に目盛２６を設け、その外周円に目盛２６と軸の中央が目盛２５を合わせて、一定の角度を作り、螺子ボタン１０を緩めて、Ａは７０度、Ｂは９０度、Ｃは１３５度、Ｄは１８０度、Ｅは２２５度、Ｆは２７０度、Ｇは２９０度として、軸の中央が目盛２５と外周円の目盛２６とを合わせるとＡ乃至Ｇで、７段階の角度が作ることができ、治療を提供するこのことにより、これを特徴とする発熱式治療器具１。
【手続補正２】
【補正対象書類名】明細書
【補正対象項目名】全文
【補正方法】変更
【補正の内容】
【考案の詳細な説明】
【技術分野】
【０００１】  本考案は、集光形電球の発熱を利用して、ひざ・腰・肩及び首筋・腕・背中・臀部・脇腹・太もも・脹脛・足首・踵・足の裏まで暖め治療に関するものである。
【背景技術】
【０００２】  光線治療器において、アーク放電を行わせるための電極燃焼部を備えた灯体と、該電極燃焼部に所定の交流電圧をかけるための交流電源装置とを備えて成り、該交流電圧装置はコンバータ部とインバータ部とを備え、交流を一旦直流に変換したのち該直流を高周波の交流に変換するように構成されていることを特徴とする光線治療器を実用に共さられているが、両装置は、複雑すぎて欠点を有している。【０００３】  また、発熱コイルを所望に配設したセラミックス製のヒーター部材を備えた赤外線温熱治療器において、前記発熱コイルの電源回路に予熱回路を並列に組込み、この予熱回路は前期発熱コイル側に対し、前記電源回路の通常電流より小さい電流値で通電するように設定されていることを特徴とする赤外線温熱治療器が存在するが、両者とも装置が複雑で使い勝手が悪く、不便である。【０００４】  しかし、この考案によれば、手持ち式であるので１箇所、長くとも１５分ぐらいで患部に十分に届き、軽く便利に持ち歩くことが出来るものである。電球の発熱を利用して、ひざ・腰・肩及び首筋・腕・背中・臀部・脇腹・太もも・脹脛・足首・踵・足の裏まで暖め治療に、その治療に利用している。
【先行技術文献】
【実用新案登録文献】
【０００５】  簡単な構造によってセラミックを安定して成形できるために、手頃な価格に製造でき、洗濯も容易であって、しかも、身体に良好に作用する遠赤外線治療器を提供する。  患部に当てる治療器本体が表布で被覆される中空体を主体し、中空体の内周面と外周面との少なくとも一面にセラミックの紛粒体を硬化性接着剤と練り合わせて接着することにより、遠赤外線を発生するセラミック層が形成され、中空体の中心部に遠赤線外の発生を促進する電気による発熱体が内装されており、中空体の内部温度を感知して設定温度に保持する制御装置を備えている。
【実用文献１】
実用新案登録第３１５３４１２号公報【特許文献】
【０００６】  簡易型赤外線治療器は一般的に平面上へ設置されるタイプが多い。そのため、アームが長く取れない、治療者対象者の治療位置が限定される等の不都合があった。  脚部にクランプを設け固定することにより、安定性が増し、アームが長くすることができる。また、机の縁等に設置できるので、設置面が狭くてすむ。よって、治療対象者の場所的制約が少なくなる。【特許文献１】特開２００５−３４２４５１公報
【実用新案登録文献】
【０００７】  人工ゼオライトを粉砕して粉末とし、水に混ぜて捏ね泥状として小皿を作り乾燥させて、高温で焼き上げて耐熱皿を作り、市販の赤外線治療器を求めて来て、電気屋か機会屋に頼んで、治療器保護枠を組み立てているビスを暖めて外し、組み立てている保護枠金網を外したら照射口と保護金網枠の間に小皿を挿入する。  小皿は耐熱皿を選ばないと、赤外線の熱で割れて怪我をするから、注意をして普通の皿は使わないで下さい、ゼオライト皿を選んで下さい。
【実用文献２】
実用新案登録第３０７０９５０号公報
【考案の概要】
【考案が解決しようとする課題】
【０００８】  解決しようとする問題点は、どんな患部にも手で持って治癒が行き届くようすることで、一箇所５分乃至１５分位で済むようにする点である、余り長過ぎると手で持っているので手が疲れと、１５分以上すると患部が熱くなり過ぎるので、欠点を言えばこの２点位である。
【課題を解決するための手段】
【０００９】  傘軸の先端にある螺子ボタンを左右に廻すことにより、螺子ボタンは締り、緩めをするが、傘軸の末端が回転軸となり、傘軸の中央に目盛を設け、先端のポリプロピレンにナットの収納具を螺子ボタン反対側に直接接着し、その直接接着したナットと螺子ボタンのボルトを中心に回転軸となり、収納具の外周円に目盛を設け、その外周円に目盛と軸の中央が目盛２５を合わせて、一定の角度を作り、螺子ボタンを緩めて、Ａは７０度、Ｂは９０度、Ｃは１３５度、Ｄは１８０度、Ｅは２２５度、Ｆは２７０度、Ｇは２９０度として、軸の中央が目盛と外周円の目盛とを合わせるとＡ乃至Ｇで、７段階の角度が作ることができ、治療を提供するこのことにより、これを特徴とする発熱式治療器具である。
【考案の効果】
【００１０】  本考案は、集光形電球の発熱を利用して、ひざ・腰・肩及び首筋・腕・背中・臀部・脇腹・太もも・脹脛・足首・踵・足の裏まで暖める治療に関するものであり、電球の熱源が患部を温め、この熱が痛み及び鈍痛を和らげ、治療することにより、痛み、痺れをやわらげ、治療に一役活躍という利点がある。【００１１】  背の高い人、背の低い人、座高の高い人、座高の低い人、標準でない人、目盛りが役に立たない人のために、軸の目盛と外周円の目盛とを合わせないと、無限にできるものであり、治療する位置が決まったら、手で持って運んで行く、所望の患部の位置まで螺子ボタンを右に廻し、締まり動かなくし、発熱式治療器具の熱を発する電灯にスイッチを要れ、治療を提供するこの熱が痛みを和らげ及び鈍痛化し、治療を提供する。
【図面の簡単な説明】
【００１２】
【図１】図１は発熱式治療器具の全体の斜視図であって説明図である。
【図２】図２は発熱式治療器具の一部要部「発熱式の集光電球の付けるところである。」斜視図であって、網の蓋を開いた説明図である。
【図３】図３は発熱式治療器具の一部要部を切り開いた状況の断面図で表し、「発熱式の集光形電球の付けたところである。」側面図であって、網の蓋を閉じた説明図である。
【図４】図４（イ）は傘の上部を切削した背面図であり、（ロ）はＡ−Ａ線断面図の説明図である。
【図５】図５は傘軸の上部を切削した左側面図面図で、ナット収納具の外周円の目盛が付けてあり、傘軸の後端部分と回転軸付近の間に、中央の目盛が付いて、軸の目盛と外周円の目盛とを合わせて、角度を取り治療する位置が決まったら、Ａは７０度、Ｂは９０度、Ｃは１３５度、Ｄは１８０度、Ｅは２２５度、Ｆは２７０度、Ｇは２９０度の７段階に分けて曲がる説明図である。
【図６】（イ）螺子ボタンの側面図であり（ロ）螺子ボタンの正面図であり（ハ）ナット収納具の外周円を平面に伸ばし書いたものである。
【図７】（イ）ポリプロピレンの状態とプラシックの状態との螺子ボタンの締めた状況の係わり合いを１部断面図で示す説明図である。（ロ）螺子ボタン斜視図である。
【図８】図８は膝の治療をしている説明図である。
【図９】図９は腰の治療をしている説明図である。
【図１０】図１０は肩及び首筋の辺りを治療している説明図である。
【図１１】図１１は足のつま先及び足の首筋を治療している説明図である。
【考案を実施するための形態】
【００１３】  発熱式治療器具は、集光形電球の発熱を利用して、ひざ・腰・肩及び首筋・腕・背中・臀部・脇腹・太もも・脹脛・足首・踵・足の裏まで暖め治療に供するもので、電球の熱源が患部を温め、痛み、痺れをやわらげ、治療に一役活躍という利点を実現した。
【実施例】
【００１４】  図１は、発熱式治療器具１であって、傘２の蓋３を開け電球４を取付けて蓋３を閉め、止具５で締め付けて角度は９０°であり、螺子ボタン１０は左右に動かすことができ、左に廻すと緩み、右に廻すと締りをする。コード６先は傘２電球につながっている、反対側は軸の中を通ってスイッチを通って、余りは折りたたんであり、最後はプラグ７となる。使うときには、部屋のコンセントへプラグ７を差し込んで、発熱式治療器具１として使う。【００１５】  傘軸１３の続く回転軸１４は、プラチック３０で、その外側の先端は、ポリプロピレン軸２２なってなり、螺子ボタン１０を右に廻す締り、左に廻すと緩みの働きをする。軸８は丸型で滑り易い中間の十字状２３でなっている。後の残りは軸８の丸型で滑り易く、滑り止９を十字状に差し込んで設けている。【００１６】  図２は、発熱式治療器具１の傘２の蓋３を開けた状態であって、傘２の外側がプラチックで内側のスポンジ２０はプラチック製で熱には強く、傘２の外側には熱で暑くならない。蓋３のネット１２は、止め具５でとめ、蓋３のネット１２の材質は、ポリエステル製であって、熱には強くあります。【００１７】  螺子ボタン１０を左に廻すと緩む、右に廻す締り、発熱式治療器具１の傘軸１３の続く回転軸１４は、プラチック製で、その外側の先端は、ポリプロピレン軸２２なってなり、プラチックは硬く、ポリプロピレンより軟らかく粘りがないので、螺子ボタン１０を右に廻せば締ったままの状態で（動かなるまで締めるのでなくある程度締める）、傘軸１３に力からを入れると回転軸１４を（滑る）廻りだすと、所望の角度が得られる。再度、螺子ボタン１０を右に動かなるまで締め角度が確定し、治療する立場になる。  軸８は、滑り易く途中から滑り止２３を設けている。【００１８】  図３の発熱式治療器具１上部はコード６で、その１部を切り開いた断面図を表わしている。集光形電球のソケット１７は、エボナイト製であり、プラチィックで覆っており、ソケット１７の外皮１８であります。その下のゴム材１９は、集光形電球のソケット１７を停止具として使用しています。【００１９】  図３の傘２の蓋３を止具５で閉めた状態であって、傘２の表側は、材質は熱に強いプラチィックで、中側は同じ材質のスポンジ２０材であり、内側の薄い皮膜２１は同じ材質のプラチィックである。熱源の集光形電球４は、４０ワットを持ち、ビーム角３０度であり、蓋３のポリエステル製網１２により厚さが調節されているが、治療の場所によって距離が調節の問題となる。【００２０】  図４（イ）は、疾患部より、傘軸１３の先端にある螺子ボタン１０を右に廻すことにより、溝１６が軋み螺子ボタン１０を締まり、周りのポリプロピレン２２は粘りがなく軟らかいので、回転軸１４がプラチィック３０硬いので回転軸１４を滑り、一方、軸の目盛２５と外周円の面目盛２６とを合わせると所望の角度を作る。治療する位置が決まったら、スイッチを要れ、患部の位置まで手で持って運んで行く、発熱式治療器具の熱を発する、この熱が痛みを和らげ及び鈍痛化し、治療を開始するものである。これを特徴とする発熱式治療器具１で装置である。【００２１】  図４（ロ）は、軸８の丸型で滑り易いので中間は、Ａ−Ａ断面図で���り、十字形状２３は、手で握り易くしてあり、その後の小さい突起十字も滑り止９である。軸８のお終りのここを握ると、握りは、安定的である。  十字形状２３の芯の断面図は、中心の楕円形のコード６であり、丸形の孔２４は、コードを通す丸形の孔２４である。【００２２】  図５は、傘軸１３の末端は回転軸１４が設けられている。螺子ボタン１０を右に廻せば締まり、螺子ボタン１０を左に廻せば緩まりと言う風になる。螺子ボタン１０を右に廻せば締ったままの状態で（動かなるまで締めるのでなくある程度締める）、更に、螺子ボタン１０を右に廻せば、動かなるまで締める。所望の角度が得られる。【００２３】  傘２の角度は、ナット収納具２７の外周円の目盛２６が付してあり、これと傘軸１３の回転軸の近い傘軸の末端の中央にある線の軸の目盛２５と外周円の目盛２６とを合わせると、Ａは７０度で、２０度足してＢは９０度次々と４５度とに曲がり、Ｃは１３５度、Ｄは１８０度、Ｅは２２５度、Ｆは２７０度、最高はＧの２９０度曲がるのである。戻るときには、螺子ボタン１０を左に廻すと緩み、右に廻すと締り、螺子ボタン１０を右に廻すと締り、動かなくなったら、治療の場所が決り、スイッチ１１を入れ、治療が始まる。  膝は、９０度曲げた方が良く（図８参照。）。腰は、Ｅの２２５度曲げた方が良く（図９参照。）。肩首筋はＥの２２５度曲げた方が良く（図１０参照。）。足の先は、Ｄの１８０度曲げたほうが（図１１参照。）標準で、良くいくものである。【００２４】  平常は、９０度である。螺子ボタン１０を右に廻すと締まり、更に、傘軸３を廻すと滑り、傘軸１３の中央に線ある軸の目盛２５と外周円の目盛２６とを合わせると、Ａは７０度、Ｂは９０度、Ｃは１３５度、Ｄは１８０度、Ｅは２２５度、Ｆは２７０度、最後は２０度足してＧは２９０度と選び、目盛り以外では、ＡからＧまで所望の場所は、無限に選択でき自由である。【００２５】  図５実線は、平常のＢは９０度であり、点線は動いた状態を示し、点線のものは、Ａは７０度と、Ｄは１８０度、Ｆは２７０度、Ｇは２９０度と、書いてないのはＣは１３５度とＥは２２５度であり、無いものを書くとすれば、あんまりしつこくなるので、書くのを止めました。軸の目盛２５と外周円の目盛２６とを合わせると、Ａ乃至Ｇは、７つあるので、７段階の角度を作ることができる。【００２６】  図６（イ）は、傘軸１３を１８０度で伸ばした状況であって背面図の図であり、傘軸１３の中央に線ある軸の日盛２５、その材質はプラスチック３０である。  ポリプロピレン２２螺子ボタン１０と反対側にナット収納具２７をポリプロピレン２２に直接接着剤で接着し、ナット収納具２７を動かなくする。  螺子ボタン１０右（図面では前に）に廻すと締まり、溝が１６軋み、プラチック３０が硬いので周りのポリプロピレン２２軟らかいので滑り、もっと螺子ボタン１０を右に廻すと締まり動かなくなる。【００２７】  図６（ロ）は、螺子ボタン１０右に廻すと締まり、左に廻すと緩まる方法を示したものである。図６（ハ）は、丸い円の外周円の目盛２５と外周縁１５に書かれたものと線と数字と欧文字を平面に表示したことである。【００２８】  図７（イ）は、傘軸１３を１８０度で伸ばした状況であって背面図の図形であり、その１部を断面図で表し、螺子ボタン１０右に廻すと締まり、溝が１６軋み、プラチック３０が硬いので周りのポリプロピレン軟らかいので回転軸が滑る。  ナット収納具２７の外周円の目盛２６を傘軸１３の中央にある線の目盛２５と外周円の目盛２６合わせると治療角度が得られる。【００２９】  図７（ロ）は螺子ボタン１０の斜視図であってボルト２９を書いたものである。  この螺子ボタン１０を右に廻すと締り、左に廻すと緩みを繰返し、所望の角度は選択でき自由である。【００３０】  図８は、発熱式治療器具１の右手で持ってＢ・９０度の角度で、腰掛けて膝の治療をしている所です。【００３１】  図９は、発熱式治療器具１の右手で持ってＣ・１３５度の角度で腰掛けての治療をしている所です。【００３２】  図１０は、発熱式治療器具１の右手で持ってＣ・１３５度の角度で腰掛け肩及び首筋の治療をしている所です。【００３３】  図１１は、発熱式治療器具１の右手で持ってＤ・１８０度の角度で腰掛けてつま先及び足首の治療をしている所です。腰掛けて足首及び踵、つま先治療をしている所です。
【産業上の利用可能性】
【００３４】  発熱式治療器具は、集光形電球の発熱を利用して、ひざ・腰・肩及び首筋・腕・背中・臀部・脇腹・太もも・脹脛・足首・踵・足の裏まで暖め治療に関するものであるが照明器具としても、机の上に取付け具を付ければ、机の照明器具としても適用できるものである。
【符号の説明】
【００３５】１    発熱式治療器具２    傘３    蓋４    集光形電球５    止具６    コード７    プラグ８    軸９    滑り止１０  螺子ボタン１１  スィッチ１２  ポリエステル製網１３  傘軸１４  回転軸１５  外周縁１６  溝１７  集光形電球のソケット１８  ソケットの外皮１９  ゴム２０  スポンジ２１  傘の内側の薄い皮膜２２  ポリプロピレン２３  十字形状２４  丸形の孔２５  軸の目盛り２６  外枠の断面目盛２７  ナット収納具２８  ナット２９  ボルト３０  プラスチック
【手続補正３】
【補正対象書類名】図面
【補正対象項目名】全図
【補正方法】変更
【補正の内容】
【図１】
0003180835.tif 000025
【図２】
0003180835.tif 000026
【図３】
0003180835.tif 000027
【図４】
0003180835.tif 000028
【図５】
0003180835.tif 000029
【図６】
0003180835.tif 000030
【図７】
0003180835.tif 000031
【図８】
0003180835.tif 000032
【図９】
0003180835.tif 000033
【図１０】
0003180835.tif 000034
【図１１】
0003180835.tif 000035